(57)【要約】【課題】ルームユニットを建築物の床スラブ上に複数設置する工法において、ルームユニットの設置高さ位置の調節を容易にして、短時間で効率的にルームユニットの設置を可能にする。【解決手段】複数のルームユニット支持脚を所定の間隔で前記床スラブに設置する第１設置工程と、前記複数のルームユニット支持脚を、任意の配分で前調整ルームユニット支持脚と、後調整ルームユニット支持脚に区分けして、前記前調整ルームユニット支持脚の高さを、前記後調整ルームユニット支持脚の高さよりも高くなるように調整する第１前調整工程と、前記前調整ルームユニット支持脚に支持させるように前記ルームユニットを載置する第１ルームユニット載置工程と、前記後調整ルームユニット支持脚の高さを前記ルームユニットに接する位置まで高くなるように調整する第１後調整工程と、を備えた。【選択図】図７
2020183651.tif 000002
【特許請求の範囲】
【請求項１】
建築物の床スラブの上にルームユニットを設置する際に、前記床スラブに設置され、前記ルームユニットを受け止める後調整機能付きルームユニット支持脚であって、
前記床スラブに接する底板および該底板から立ち上がる第１側壁を有する基体と、該基体の上面を覆い、前記ルームユニットに接する天板および該天板から垂下し前記第１側壁に摺動可能に接する第２側壁を有する蓋体と、を備え、
前記底板、前記第１側壁、前記第２側壁、前記天板によって内部空間が区画され、
前記第１側壁または前記第２側壁には前記内部空間に連通する管状部が形成され、
前記内部空間には、前記管状部を介して硬化性材料が充填可能にされ、
前記天板の中央部分には凹部が形成され、該凹部の周縁には前記内部空間に連通する貫通孔が形成されていることを特徴とする後調整機能付きルームユニット支持脚。
【請求項２】
建築物の床スラブの上にルームユニットを設置する際に、前記床スラブに設置され、前記ルームユニットを受け止める、高さ調整が可能なルームユニット支持脚の設置高さ調整方法であって、
複数のルームユニット支持脚を所定の間隔で前記床スラブに設置する第１設置工程と、
前記複数のルームユニット支持脚を、任意の配分で前調整ルームユニット支持脚と、後調整ルームユニット支持脚に区分けして、前記前調整ルームユニット支持脚の高さを、前記後調整ルームユニット支持脚の高さよりも高くなるように調整する第１前調整工程と、
前記前調整ルームユニット支持脚に支持させるように前記ルームユニットを載置する第１ルームユニット載置工程と、
前記後調整ルームユニット支持脚の高さを前記ルームユニットに接する位置まで高くなるように調整する第１後調整工程と、を備えたことを特徴とするルームユニット支持脚の設置高さ調整方法。
【請求項３】
前記第１前調整工程または前記第１後調整工程のうち少なくともいずれか一方での前記ルームユニット支持脚の高さ調整は、前記ルームユニット支持脚の内部に硬化性材料を注入することによって行うことを特徴とする請求項２記載のルームユニット支持脚の設置高さ調整方法。
【請求項４】
建築物の床スラブの上にルームユニットを設置する際に、前記床スラブに設置され、前記ルームユニットを受け止める、高さ調整が可能なルームユニット支持脚の設置高さ調整方法であって、
複数のルームユニット支持脚を所定の間隔で前記床スラブに設置する第２設置工程と、
前記複数のルームユニット支持脚のうち、任意のルームユニット支持脚に支持させるように前記ルームユニットを載置する第２ルームユニット載置工程と、
前記複数のルームユニット支持脚の上面が前記ルームユニットに接する位置まで高くなるように高さを調整する第２後調整工程と、を備えたことを特徴とするルームユニット支持脚の設置高さ調整方法。
【請求項５】
第２ルームユニット載置工程の前工程であって、前記複数のルームユニット支持脚の上面にレベル調整具を重ねて配置し、前記複数のルームユニット支持脚の高さを調整する第２前調整工程を有することを特徴とする請求項４に記載のルームユニット支持脚の設置高さ調整方法。
【請求項６】
前記第２後調整工程は、前記複数のルームユニット支持脚の内部に硬化性材料を注入し、前記レベル調整具と前記ルームユニットとの間に隙間が生じている前記ルームユニットに対して、前記レベル調整具が前記ルームユニットに接する高さに調整するとともに、全てのルームユニット支持脚の高さを、注入した前記硬化性材料によって固定化する工程であることを特徴とする請求項５に記載のルームユニット支持脚の設置高さ調整方法。
【発明の詳細な説明】
【技術分野】
【０００１】
本発明は、屋内設備をユニット化したルームユニットを建築物の床スラブ上に設置する際に、ルームユニットの高さ位置を調節するための後調整機能付きルームユニット支持脚、およびルームユニット支持脚の設置高さ調整方法に関する。
【背景技術】
【０００２】
従来、例えばマンションやホテルなどの建築物では、システムキッチン，トイレ，バスユニット，洗面化粧台，クローゼットなどの屋内設備を、それぞれ独立した部材として搬入して建築現場で組み立て、建物躯体に据え付けていた。しかし、このような屋内設備の構成部品を現場で組み立てて据え付ける工法では、人件費の増大による建設コストの上昇、工事期間の長期化、品質のバラツキ等、様々な課題が生じている。
【０００３】
上述した課題を解決する方法として、予め工場などで屋内設備などを組み込んだルームユニットを製造し、このルームユニットを建築物の床スラブ上に複数設置する工法が知られている（例えば、特許文献１を参照）。こうしたルームユニットを用いることにより、建築現場では、複数のルームユニットを設置して互いに連結し、必要に応じてルームユニットに電気配線や上下水道の配管を接続するだけで、短期間に屋内設備（内装）を完成させることができる。
【先行技術文献】
【特許文献】
【０００４】
【特許文献１】特開平８−３１２１６８号公報
【発明の概要】
【発明が解決しようとする課題】
【０００５】
しかしながら、上述したルームユニットを建築物の床スラブ上に複数設置する工法では、建築物の床スラブが必ずしも均一な水平面であるとは限らないため、隣接配置するルームユニットどうしの高さ位置を合致させて、ユニット床面どうしを段差なく接続するための高さ調節に多くの手間が掛かるという課題があった。
【０００６】
特に、ルームユニットの設置前に床スラブ上にルームユニットを水平に支持するための支持部材などを複数配置したとしても、ルームユニットの設置後にこれら複数の支持部材のうち、いくつかの支持部材はルームユニットとの間に隙間が生じてしまうこともある。この場合、特定の支持部材にルームユニットの荷重が過剰に加わり、支持部材の破損やルームユニットの歪みなどを生じさせる懸念もある。
【０００７】
本発明は、このような事情を考慮してなされたものであり、ルームユニットを建築物の床スラブ上に複数設置する工法において、ルームユニットの設置高さ位置の調節を容易にして、短時間で効率的にルームユニットの設置を可能にする後調整機能付きルームユニット支持脚、ルームユニット支持脚の設置高さ調整方法を提供することを目的とする。
【課題を解決するための手段】
【０００８】
上記課題を解決するために、この発明は以下の手段を提案している。
即ち、本発明の後調整機能付きルームユニット支持脚は、建築物の床スラブの上にルームユニットを設置する際に、前記床スラブに設置され、前記ルームユニットを受け止める後調整機能付きルームユニット支持脚であって、前記床スラブに接する底板および該底板から立ち上がる第１側壁を有する基体と、該基体の上面を覆い、前記ルームユニットに接する天板および該天板から垂下し前記第１側壁に摺動可能に接する第２側壁を有する蓋体と、を備え、前記底板、前記第１側壁、前記第２側壁、前記天板によって内部空間が区画され、前記第１側壁または前記第２側壁には前記内部空間に連通する管状部が形成され、前記内部空間には、前記管状部を介して硬化性材料が充填可能にされ、前記天板の中央部分には凹部が形成され、該凹部の周縁には前記内部空間に連通する貫通孔が形成されていることを特徴とする。
【０００９】
本発明のルームユニット支持脚の設置高さ調整方法は、建築物の床スラブの上にルームユニットを設置する際に、前記床スラブに設置され、前記ルームユニットを受け止める、高さ調整が可能なルームユニット支持脚の設置高さ調整方法であって、複数のルームユニット支持脚を所定の間隔で前記床スラブに設置する第１設置工程と、前記複数のルームユニット支持脚を、任意の配分で前調整ルームユニット支持脚と、後調整ルームユニット支持脚に区分けして、前記前調整ルームユニット支持脚の高さを、前記後調整ルームユニット支持脚の高さよりも高くなるように調整する第１前調整工程と、前記前調整ルームユニット支持脚に支持させるように前記ルームユニットを載置する第１ルームユニット載置工程と、前記後調整ルームユニット支持脚の高さを前記ルームユニットに接する位置まで高くなるように調整する第１後調整工程と、を備えたことを特徴とする。
【００１０】
また、本発明では、前記第１前調整工程または前記第１後調整工程のうち少なくともいずれか一方での前記ルームユニット支持脚の高さ調整は、前記ルームユニット支持脚の内部に硬化性材料を注入することによって行ってもよい。
【００１１】
本発明のルームユニット支持脚の設置高さ調整方法は、建築物の床スラブの上にルームユニットを設置する際に、前記床スラブに設置され、前記ルームユニットを受け止める、高さ調整が可能なルームユニット支持脚の設置高さ調整方法であって、複数のルームユニット支持脚を所定の間隔で前記床スラブに設置する第２設置工程と、前記複数のルームユニット支持脚のうち、任意のルームユニット支持脚に支持させるように前記ルームユニットを載置する第２ルームユニット載置工程と、前記複数のルームユニット支持脚の上面が前記ルームユニットに接する位置まで高くなるように高さを調整する第２後調整工程と、を備えたことを特徴とする。
【００１２】
また、本発明では、第２ルームユニット載置工程の前工程であって、第２ルームユニットと前記複数のルームユニット支持脚の上面にレベル調整具を重ねて配置し、前記複数のルームユニット支持脚の高さを調整する第２前調整工程を有していてもよい。
【００１３】
前記第２後調整工程は、前記複数のルームユニット支持脚の内部に硬化性材料を注入し、前記レベル調整具と前記ルームユニットとの間に隙間が生じている前記ルームユニットに対して、前記レベル調整具が前記ルームユニットに接する高さに調整するとともに、全てのルームユニット支持脚の高さを、注入した前記硬化性材料によって固定化する工程であってもよい。
【発明の効果】
【００１４】
本発明によれば、ルームユニットを建築物の床スラブ上に複数設置する工法において、ルームユニットの設置高さ位置の調節を容易にして、短時間で効率的にルームユニットの設置を可能にする後調整機能付きルームユニット支持脚、ルームユニット支持脚の設置高さ調整方法を提供することが可能になる。
【図面の簡単な説明】
【００１５】
【図１】本発明の第１実施形態の後調整機能付きルームユニット支持脚を示す外観斜視図である。
【図２】図１に示す後調整機能付きルームユニット支持脚の高さ方向に沿った断面図である。
【図３】本発明の第２実施形態の後調整機能付きルームユニット支持脚を示す外観斜視図である。
【図４】本発明の第１調整方法のルームユニット支持脚の設置高さ調整方法を段階的に示した模式図および側面図である。
【図５】本発明の第１調整方法のルームユニット支持脚の設置高さ調整方法を段階的に示した模式図および側面図である。
【図６】本発明の第１調整方法のルームユニット支持脚の設置高さ調整方法を段階的に示した模式図および側面図である。
【図７】本発明の第１調整方法のルームユニット支持脚の設置高さ調整方法を段階的に示した模式図および側面図である。
【図８】本発明の第２調整方法のルームユニット支持脚の設置高さ調整方法を段階的に示した模式図および側面図である。
【図９】本発明の第２調整方法のルームユニット支持脚の設置高さ調整方法を段階的に示した模式図および側面図である。
【図１０】本発明の第２調整方法のルームユニット支持脚の設置高さ調整方法を段階的に示した模式図および側面図である。
【図１１】本発明の第３調整方法のルームユニット支持脚の設置高さ調整方法を段階的に示した模式図および側面図である。
【図１２】本発明の第３調整方法のルームユニット支持脚の設置高さ調整方法を段階的に示した模式図および側面図である。
【図１３】本発明の第３調整方法のルームユニット支持脚の設置高さ調整方法を段階的に示した模式図および側面図である。
【図１４】本発明の第３調整方法のルームユニット支持脚の設置高さ調整方法を段階的に示した模式図および側面図である。
【発明を実施するための形態】
【００１６】
以下、図面を参照して、本発明の一実施形態の後調整機能付きルームユニット支持脚、およびルームユニット支持脚の設置高さ調整方法について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１７】
（後調整機能付きルームユニット支持脚：第１実施形態）
図１は、本発明の第１実施形態の後調整機能付きルームユニット支持脚を示す外観斜視図である。また、図２は、図１に示す後調整機能付きルームユニット支持脚の高さ方向に沿った断面図である。
本発明の第１実施形態の後調整機能付きルームユニット支持脚１０は、外形形状が多角形筒形、例えば十角筒形を成し、上面１１ｔが例えば開放面を成す第１基体１１と、第１基体１１の上面（開放面）１１ｔを覆う第１蓋体２１とを有する。第１基体１１は、使用時において床スラブＳに接する第１底板１２と、この第１底板１２から立ち上がり、所定の領域、本実施形態では十角筒状の空間を区画する十角筒形の第１側壁１３とを備えている。なお、この第１底板１２と第１側壁１３とは、例えば、同一の材料、例えば硬質樹脂で一体に形成されていればよい。
【００１８】
第１基体１１の第１側壁１３には、後調整機能付きルームユニット支持脚１０の外部と、第１基体１１の第１底板１２および第１側壁１３と、第１蓋体２１の第１天板２２および第２側壁２３とで区画される内部空間Ｅ１とを連通させる管状部１５が形成されている。こうした管状部１５を介して内部空間Ｅ１内に硬化性材料を充填することができる。
なお、こうした管状部１５は、本実施形態のように第１側壁１３に形成する以外にも、第２側壁２３に形成することもできる。この場合、第１側壁１３には管状部１５を通すための開口、切欠部などを形成しておけばよい。
【００１９】
こうした内部空間Ｅ１内に充填する硬化性材料としては、例えば、２液混合によって硬化する硬化剤や、熱や紫外線を加えることによって硬化する硬化剤や水和反応によって硬化する硬化剤など、各種の硬化剤が適用可能であり、限定されるものでは無い。
【００２０】
また、第１底板１２には、管状部１５に連なる底面蓋１６が第１底板１２に対して脱着自在に形成されている。こうした底面蓋１６の内部空間Ｅ１に臨む面には、第１底板１２の中心に向けて延びる溝１６ａが形成されている。こうした溝１６ａによって、内部空間Ｅ１の端部にある管状部１５から注入された硬化性材料を内部空間Ｅ１の中心に流れるように誘導し、内部空間Ｅ１内に隙間なく硬化性材料を充填させることができる。
【００２１】
第１蓋体２１は、第１基体１１の開放面である上面１１ｔを覆う第１天板２２と、この第１天板２２から垂下し、第１基体１１の第１側壁１３の内周面１３ａに対して摺動可能に接する十角筒形の第２側壁２３とを備えている。なお、この第１天板２２と第２側壁２３とは、例えば、同一の材料、例えば硬質樹脂で一体に形成されていればよい。
【００２２】
第１天板２２は、例えば十角板状の部材であり、後調整機能付きルームユニット支持脚１０の使用時において、第１天板２２の上面２２ａがルームユニットＵの下側梁ＵＢに接する。
【００２３】
後調整機能付きルームユニット支持脚１０の第１天板２２の中央部分には凹部２５が形成されている。この凹部２５は、本実施形態では、第１天板２２の頂面の一部（中央部）を十角形状に凹ませた部分である。そして、この凹部２５の周縁には内部空間Ｅ１に連通する第１貫通孔２４が形成されている。本実施形態では、第１貫通孔２４は、凹部２５の周縁に等間隔に３か所形成されている。
【００２４】
こうした凹部２５は、後調整において管状部１５から内部空間Ｅ１に注入した硬化性材料が溢れた際に受け止めるバッファの役割を果たす。また、第１貫通孔２４は、管状部１５から内部空間Ｅ１に硬化性材料を注入する際に空気を外部に放出させ、また、内部空間Ｅ１を満たした後の硬化性材料を凹部２５に向けて流出させる。
【００２５】
（後調整機能付きルームユニット支持脚：第２実施形態）
図３は、本発明の第２実施形態の後調整機能付きルームユニット支持脚を示す外観斜視図である。
図３に示す後調整機能付きルームユニット支持脚３０は、上述した図１、図２に示す後調整機能付きルームユニット支持脚１０の変形例であり、以下に説明する箇所以外は図１、図２の実施形態と同様であり、詳細な説明は省略するとともに、同一の番号を付す。
【００２６】
この第２実施形態の後調整機能付きルームユニット支持脚３０における第１基体１１の第１側壁１３には、後調整機能付きルームユニット支持脚３０の外部と、第１基体１１の第１底板１２および第１側壁１３と、第１蓋体２１の第１天板２２および第２側壁２３とで区画される内部空間Ｅ２とを連通させる管状部３５が形成されている。こうした管状部３５を介して内部空間Ｅ２内に硬化性材料を充填することができる。
【００２７】
管状部３５の内部空間Ｅ２側の端部は、第１側壁１３の近傍、即ち内部空間Ｅ２の周縁領域にある。そして、この第２実施形態の後調整機能付きルームユニット支持脚３０では、図１、図２に示す後調整機能付きルームユニット支持脚１０のような、管状部から注入された硬化性材料を内部空間Ｅ１の中心に向けて流す溝を備えた底面蓋を形成していない。
【００２８】
このような第２実施形態の後調整機能付きルームユニット支持脚３０であっても、内部空間Ｅ２に充填される硬化性材料の流動性が充分であれば、管状部３５を介して内部空間Ｅ２内に隙間なく硬化性材料を充填することができる。また、底面蓋を形成しないことで、第１実施形態の後調整機能付きルームユニット支持脚１０と比べて、第１基体１１の一体成型が可能になり、より低コストで後調整機能付きルームユニット支持脚３０を製造することができるというメリットがある。
【００２９】
（ルームユニット支持脚の設置高さ調整方法：第１調整方法）
次に、上述した第１実施形態の後調整機能付きルームユニット支持脚（以下、単にルームユニット支持脚と称する）１０を用いた、本発明の第１調整方法のルームユニット支持脚の設置高さ調整方法について説明する。
図４〜図７は、本発明の第１調整方法のルームユニット支持脚の設置高さ調整方法を段階的に示した模式図および側面図である。このうち、各図の（ａ）は、上から見た時の後調整機能付きルームユニット支持脚の配置例を示しており、各図の（ｂ）は、（ａ）の配置例において外方から一側面を見た時の後調整機能付きルームユニット支持脚の状態を図示している。
【００３０】
以下の調整方法では、上面視したときに矩形を成すルームユニットＵを、例えば、床スラブＳ上に任意の間隔で配置した９個のルームユニット支持脚１０Ａ〜１０Ｉによって支持する場合を例示する。
まず、図４に示すように、床スラブＳ上でルームユニットＵの下側梁ＵＢと接する位置に、ルームユニット支持脚１０Ａ〜１０Ｉを例えば互いに等間隔に設置する（第１設置工程）。この図４の状態では、ルームユニット支持脚１０Ａ〜１０Ｉの内部空間Ｅ１（図２を参照）には硬化性材料などは注入されておらず、高さが未調整の状態である。
【００３１】
次に、図５に示すように、ルームユニット支持脚１０Ａ〜１０Ｉを、任意の配分で前調整ルームユニット支持脚と、後調整ルームユニット支持脚に区分けする。本調整方法では、例えば、ルームユニットＵの四隅に当たるルームユニット支持脚１０Ａ，１０Ｃ，１０Ｇ，１０Ｉを前調整ルームユニット支持脚に設定し、それ以外のルームユニット支持脚１０Ｂ，１０Ｄ〜１０Ｆ，１０Ｈを後調整ルームユニット支持脚に設定する。
【００３２】
そして、前調整ルームユニット支持脚に設定したルームユニット支持脚１０Ａ，１０Ｃ，１０Ｇ，１０Ｉの第１蓋体２１（図１を参照）の上部に、例えば、第１天板２２が所定の高さになるような木材などの基準材を設置してから、管状部１５を介して内部空間Ｅ１（図２を参照）内に硬化性材料Ｍを充填する。
【００３３】
この時、床スラブＳから第１蓋体２１の第１天板２２（図１を参照）までの高さが、予め設定した所定の高さになるまで、内部空間Ｅ１内に硬化性材料Ｍを充填する。そして、例えば、ルームユニット支持脚１０Ａ，１０Ｃ，１０Ｇ，１０Ｉのそれぞれの第１天板２２が、互いに同一の水平面に位置する（互いに同一の高さになる）ように高さ位置を調節する（第１前調整工程）。
【００３４】
この後、ルームユニット支持脚１０Ａ，１０Ｃ，１０Ｇ，１０Ｉに充填された硬化性材料Ｍが硬化するまで静置する。
【００３５】
次に、図６に示すように、前調整ルームユニット支持脚に設定したルームユニット支持脚１０Ａ，１０Ｃ，１０Ｇ，１０Ｉによって下側梁ＵＢの四隅が支持されるように、ルームユニットＵを設置する（第１ルームユニット載置工程）。
【００３６】
次に、図７に示すように、後調整ルームユニット支持脚に設定したルームユニット支持脚１０Ｂ，１０Ｄ〜１０Ｆ，１０Ｈの高さを、ルームユニットＵの下側梁ＵＢと接する位置まで高くなるように調整する（第１後調整工程）。例えば、ルームユニット支持脚１０Ｂ，１０Ｄ〜１０Ｆ，１０Ｈのそれぞれの第１蓋体２１の第１天板２２（図１を参照）が、ルームユニットＵの下側梁ＵＢと接する位置まで、管状部１５を介して内部空間Ｅ１（図２を参照）内に硬化性材料Ｍを充填する。
【００３７】
こうした後調整ルームユニット支持脚に設定したルームユニット支持脚１０Ｂ，１０Ｄ〜１０Ｆ，１０Ｈへの硬化性材料Ｍの充填方法として、第１ルームユニット載置工程よりも前に、それぞれのルームユニット支持脚１０の管状部１５にパイプＰを接続し、このパイプＰをルームユニットＵの設置後ルームユニットの外側から硬化性材料Ｍの充填作業ができる位置まで延出させておく。
【００３８】
そして、このパイプＰを介して、後調整ルームユニット支持脚に設定したルームユニット支持脚１０Ｂ，１０Ｄ〜１０Ｆ，１０Ｈに向けて硬化性材料Ｍを一斉に充填するといった方法を用いることができる。
【００３９】
これによって、一括して短時間で複数のルームユニット支持脚１０Ｂ，１０Ｄ〜１０Ｆ，１０Ｈを所定の高さ、即ちルームユニットＵの下側梁ＵＢと接する位置まで高くすることができる。なお、硬化性材料Ｍの注入には手動式の注入器、流体ポンプなどを用いることができる。また、硬化性材料Ｍの充填後は、弁などによってパイプＰを封止しておけばよい。
【００４０】
この後、後調整ルームユニット支持脚に設定したルームユニット支持脚１０Ｂ，１０Ｄ〜１０Ｆ，１０Ｈに充填した硬化性材料Ｍが硬化するまで静置する。
こうした各工程を経て、全てのルームユニット支持脚１０Ａ〜１０ＩによってルームユニットＵが均等に支持され、ルームユニットＵが床スラブＳ上に所定の高さで水平に設置される。
【００４１】
以上のように、本発明の第１調整方法のルームユニット支持脚の設置高さ調整方法によれば、ルームユニットを支持するための複数のルームユニット支持脚のうち、これより少ない任意の数のルームユニット支持脚の高さだけを予め正確に調整するだけで、残りのルームユニット支持脚は正確な高さ調整をしなくても、ルームユニットを確実に支持可能な高さまで容易に調整することが出来る。
【００４２】
これにより、複数のルームユニット支持脚の全てに対して正確な高さ調整を行わなくてもルームユニットを水平に設置することができ、ルームユニット支持脚の設置高さ調整を省力化して低コストにルームユニット支持脚を設置することが可能になる。
【００４３】
（ルームユニット支持脚の設置高さ調整方法：第２調整方法）
次に、上述した第１実施形態のルームユニット支持脚１０を用いた、本発明の第２調整方法のルームユニット支持脚の設置高さ調整方法について説明する。
図８〜図１０は、本発明の第２調整方法のルームユニット支持脚の設置高さ調整方法を段階的に示した模式図および側面図である。このうち、各図の（ａ）は、上から見た時の後調整機能付きルームユニット支持脚の配置例を示しており、各図の（ｂ）は、（ａ）の配置例において外方から一側面を見た時の後調整機能付きルームユニット支持脚の状態を図示している。
【００４４】
以下の調整方法では、上面視したときに矩形を成すルームユニットＵを、例えば、床スラブＳ上に任意の間隔で配置した９個のルームユニット支持脚１０Ａ〜１０Ｉによって支持する場合を例示する。
まず、図８に示すように、床スラブＳ上でルームユニットＵの下側梁ＵＢと接する位置に、ルームユニット支持脚１０Ａ〜１０Ｉを例えば互いに等間隔に設置する（第２設置工程）。この図８の状態では、ルームユニット支持脚１０Ａ〜１０Ｉの内部空間Ｅ１（図２を参照）には硬化性材料などは注入されておらず、高さが未調整の状態である。
【００４５】
次に、図９に示すように、ルームユニット支持脚１０Ａ〜１０Ｉ上にルームユニットＵを設置する（第２ルームユニット載置工程）。この時、例えば、床スラブＳの表面が水平でなく、部分的な凹凸や傾斜が存在する場合、床スラブＳの凹んだ領域に設置された、ルームユニット支持脚１０の第１天板２２（図１を参照）は、ルームユニットＵと接触せずに隙間が生じた状態になる。矩形のルームユニットＵの場合、少なくとも３つのルームユニット支持脚１０と接する。
【００４６】
以下、本調整方法では、床スラブＳの凹凸のために、例えば、ルームユニット支持脚１０Ａ〜１０Ｉのうち、ルームユニット支持脚１０Ａ，１０Ｃ，１０Ｈの３つがルームユニットＵに接し、残りのルームユニット支持脚１０Ｂ，１０Ｄ〜１０Ｇ，１０ＩはルームユニットＵとの間で隙間が生じた状態になっていると想定する。
【００４７】
次に、図１０に示すように、全てのルームユニット支持脚１０Ａ〜１０Ｉに対して、管状部１５を介して内部空間Ｅ１（図２を参照）内に硬化性材料Ｍを充填する（第２後調整工程と）。この時、ルームユニットＵに対して隙間が生じているルームユニット支持脚１０Ｂ，１０Ｄ〜１０Ｇ，１０Ｉは、内部空間Ｅ１への硬化性材料Ｍの充填によって第１蓋体２１（図２を参照）が上昇する。硬化性材料Ｍの充填は、ルームユニット支持脚１０Ｂ，１０Ｄ〜１０Ｇ，１０Ｉの全ての第１天板２２（図１を参照）がルームユニットＵの下側梁ＵＢと接するまで行う。
【００４８】
こうしたルームユニット支持脚１０Ａ〜１０Ｉへの硬化性材料Ｍの充填方法として、第２ルームユニット載置工程よりも前に、それぞれのルームユニット支持脚１０の管状部１５にパイプＰを接続し、このパイプＰをルームユニットＵの設置後ルームユニットの外側から硬化性材料Ｍの充填作業ができる位置まで延出させておく。
【００４９】
そして、このパイプＰを介して、ルームユニット支持脚１０Ａ〜１０Ｉに向けて硬化性材料Ｍを一斉に充填するといった方法を用いることができる。
【００５０】
これによって、一括して短時間で複数のルームユニット支持脚１０Ａ〜１０Ｉに硬化性材料Ｍが充填され、かつルームユニットＵに対して隙間が生じているルームユニット支持脚１０Ｂ，１０Ｄ〜１０Ｇ，１０Ｉの高さをルームユニットＵに接する位置まで高くすることができる。なお、硬化性材料Ｍの注入には手動式の注入器、流体ポンプなどを用いることができる。また、硬化性材料Ｍの充填後は、弁などによってパイプＰを封止しておけばよい。
【００５１】
この後、全てのルームユニット支持脚１０Ａ〜１０Ｉに充填した硬化性材料Ｍが硬化するまで静置する。硬化性材料Ｍの硬化によって、全てのルームユニット支持脚１０Ａ〜１０Ｉの高さ位置が固定化される。
【００５２】
（ルームユニット支持脚の設置高さ調整方法：第３調整方法）
次に、上述した第１実施形態のルームユニット支持脚１０を用いた、本発明の第３調整方法のルームユニット支持脚の設置高さ調整方法について説明する。
図１１〜図１４は、本発明の第３調整方法のルームユニット支持脚の設置高さ調整方法を段階的に示した模式図および側面図である。このうち、各図の（ａ）は、上から見た時の後調整機能付きルームユニット支持脚の配置例を示しており、各図の（ｂ）は、（ａ）の配置例において外方から一側面を見た時の後調整機能付きルームユニット支持脚の状態を図示している。
【００５３】
以下の調整方法では、上面視したときに矩形を成すルームユニットＵを、例えば、床スラブＳ上に任意の間隔で配置した９個のルームユニット支持脚１０Ａ〜１０Ｉによって支持する場合を例示する。
まず、図１１に示すように、床スラブＳ上でルームユニットＵの下側梁ＵＢと接する位置に、ルームユニット支持脚１０Ａ〜１０Ｉを例えば互いに等間隔に設置する（第２設置工程）。この図１１の状態では、ルームユニット支持脚１０Ａ〜１０Ｉの内部空間Ｅ１（図２を参照）には硬化性材料などは注入されておらず、高さが未調整の状態である。
【００５４】
次に、図１２に示すように、ルームユニット支持脚１０Ａ〜１０Ｉの上面（第１天板２２（図１を参照））に、レベル調整プレート（レベル調整具）Ｃを載置する（第２前調整工程）。この第２前調整工程では、例えば、１枚のレベル調整プレートＣをルームユニット支持脚１０Ａ〜１０Ｉに載置する。なお、ルームユニット支持脚１０Ａ〜１０Ｉの高さ位置によっては、レベル調整プレートＣを載置しないルームユニット支持脚１０Ａ〜１０Ｉがあってもよい。
【００５５】
さらに、ルームユニット支持脚１０Ａ〜１０Ｉのそれぞれにレベル調整プレートＣを加えた高さが、ルームユニットＵの設置高さになるように、レベル調整プレートＣを適宜重ねていく。例えば、床スラブＳの凹凸のために、床スラブＳの凹んだ領域に設置されたルームユニット支持脚１０Ｂは、より多くの枚数（本調整方法では４枚）のレベル調整プレートＣが積み重ねられる。
【００５６】
こうした第２前調整工程で用いるレベル調整プレートＣは、ルームユニットＵの荷重に耐えられる強度の板状部材、例えば、樹脂板、金属板、セラミックス板などを用いることができる。レベル調整プレートＣの形状は、矩形や、ルームユニット支持脚１０に合わせた円形など、各種形状のものを用いることができる。
また、レベル調整プレートＣの厚みは、薄くするほど高さ位置の微調整が可能であり、本調整方法では、例えば、５ｍｍ厚の金属板を用いている。なお、レベル調整プレートＣは、複数の厚みのものを用意して、少ない枚数で高さの微調整が可能な構成にしてもよい。
【００５７】
次に、図１３に示すように、レベル調整プレートＣによって高さ位置を調整したルームユニット支持脚１０Ａ〜１０Ｉ上（レベル調整プレートＣ上）にルームユニットＵを設置する（第２ルームユニット載置工程）。
【００５８】
この時、第２前調整工程においてルームユニット支持脚１０Ａ〜１０Ｉの高さ位置は概ね調整されているものの、レベル調整プレートＣとルームユニットＵの下側梁ＵＢとの間に僅かに隙間が生じているルームユニット支持脚１０が存在する場合がある。例えば、本調整方法では、ルームユニット支持脚１０Ｂにこうした隙間が生じているものと想定する。
【００５９】
次に、図１４に示すように、全てのルームユニット支持脚１０Ａ〜１０Ｉに対して、管状部１５を介して内部空間Ｅ１（図２を参照）内に硬化性材料Ｍを充填する（第２後調整工程）。この時、レベル調整プレートＣとルームユニットＵに対して隙間が生じているルームユニット支持脚１０Ｂは、内部空間Ｅ１への硬化性材料Ｍの充填によって第１蓋体２１（図２を参照）が上昇し、レベル調整プレートＣがルームユニットＵに接する。
【００６０】
こうしたルームユニット支持脚１０Ａ〜１０Ｉへの硬化性材料Ｍの充填方法として、第２ルームユニット載置工程よりも前に、それぞれのルームユニット支持脚１０の管状部１５にパイプＰを接続し、このパイプＰをルームユニットＵの設置後ルームユニットの外側から硬化性材料Ｍの充填作業ができる位置まで延出させておく。
【００６１】
そして、このパイプＰを介して、ルームユニット支持脚１０Ａ〜１０Ｉに向けて硬化性材料Ｍを一斉に充填するといった方法を用いることができる。
【００６２】
これによって、一括して短時間で複数のルームユニット支持脚１０Ａ〜１０Ｉに硬化性材料Ｍが充填され、かつレベル調整プレートＣとルームユニットＵとの間に隙間が生じているルームユニット支持脚１０Ｂの高さをルームユニットＵに接する位置まで高くすることができる。なお、硬化性材料Ｍの注入には手動式の注入器、流体ポンプなどを用いることができる。また、硬化性材料Ｍの充填後は、弁などによってパイプＰを封止しておけばよい。
【００６３】
この後、全てのルームユニット支持脚１０Ａ〜１０Ｉに充填した硬化性材料Ｍが硬化するまで静置する。硬化性材料Ｍの硬化によって、全てのルームユニット支持脚１０Ａ〜１０Ｉの高さ位置が固定化される。
【００６４】
以上、本発明のいくつかの調整方法を説明したが、これらの調整方法は、例として提示したものであり、発明の範囲を限定することは意図していない。これら調整方法は、その他の様々な形態で実施されることが可能であり、発明の要旨を逸脱しない範囲で、種々の省略、置き換え、変更を行うことができる。これら調整方法やその変形は、発明の範囲や要旨に含まれると同様に、特許請求の範囲に記載された発明とその均等の範囲に含まれるものである。
【００６５】
例えば、上述した各調整方法では、ルームユニット支持脚の内部空間内に硬化性材料を充填することによって、ルームユニット支持脚の高さ位置の調整と、調整後の高さ位置の固定化を図っているが、これ以外にも、例えば、周面にネジ山を形成した２つの円筒部材を組み合わせてルームユニット支持脚を構成し、ルームユニットの載置後に、例えば、円筒部材に結びつけられた紐やワイヤーをルームユニットの外側から引くことで、ルームユニットとの間に隙間が生じてしまっているルームユニット支持脚の高さ位置を調整（後調整工程）することもできる。
【００６６】
また、例えば、逆止歯を形成した楔状部材を噛合させてルームユニット支持脚を構成し、ルームユニットの載置後に、例えば、楔状部材に結びつけられた紐やワイヤーをルームユニットの外側から引くことで、ルームユニットとの間に隙間が生じてしまっているルームユニット支持脚の高さ位置を調整（後調整工程）することもできる。
【００６７】
また、例えば、液密構造の２つの円筒部材を組み合わせてルームユニット支持脚を構成し、ルームユニットの載置後に、例えば、円筒部材の内部空間に油を注入して、ルームユニットとの間に隙間が生じてしまっているルームユニット支持脚の高さ位置を油圧によって調整（後調整工程）することもできる。
【符号の説明】
【００６８】
１０…後調整機能付きルームユニット支持脚
１１…第１基体
１２…第１底板
１３…第１側壁
１５…管状部
２１…第１蓋体
２２…第１天板
２３…第２側壁
２４…第１貫通孔
Ｅ１…内部空間
【図１】
2020183651.tif 000003
【図２】
2020183651.tif 000004
【図３】
2020183651.tif 000005
【図４】
2020183651.tif 000006
【図５】
2020183651.tif 000007
【図６】
2020183651.tif 000008
【図７】
2020183651.tif 000009
【図８】
2020183651.tif 000010
【図９】
2020183651.tif 000011
【図１０】
2020183651.tif 000012
【図１１】
2020183651.tif 000013
【図１２】
2020183651.tif 000014
【図１３】
2020183651.tif 000015
【図１４】
2020183651.tif 000016